(57)【特許請求の範囲】
【請求項１】
歯の内側面に適合する凹凸と口蓋後縁を横切る一辺とから形成される外形辺縁から、４〜５ｍｍだけ残して大部をくりぬいた形をとる囲成枠状のレジン床と、歯の内側面に沿って該レジン床に埋め込まれる補強ワイヤーと、両端部を該補強ワイヤーの両端部にろう着され、口蓋後縁を横切る一辺に沿って前記レジン床に埋め込まれる架橋ワイヤーと、前記補強ワイヤーの両端部にろう着され、大臼歯に引っ掛けるＣクラスプとから構成し、前記補強ワイヤーと前記架橋ワイヤーと前記Ｃクラスプのろう着部分を前記レジン床の内部に埋め込み、かつ歯列側の前記レジン床の厚さを前歯部が歯顎部、臼歯部が歯冠豊隆部までの最小限とした上顎用歯科用リテーナー。
【請求項２】
歯の内側面に適合する凹凸から形成される外形辺縁から４〜５ｍｍだけ残して大部をくりぬいた形をとるＵ字状のレジン床と、歯の内側面に沿って該レジン床に埋め込まれる補強ワイヤーと、該補強ワイヤーの両端部にろう着され、大臼歯に引っ掛けるＣクラスプとから構成し、前記補強ワイヤーと前記Ｃクラスプのろう着部分を前記レジン床の内部に埋め込み、かつ歯列側の前記レジン床の厚さを前歯部が歯顎部、臼歯部が歯冠豊隆部までの最小限とした下顎用歯科用リテーナー。
【請求項３】
前歯部内側面に直接ボンディングするワイヤーを併用した請求項１記載の上顎用歯科用リテーナー。
【請求項４】
前歯部内側面に直接ボンディングするワイヤーを併用した請求項２記載の下顎用歯科用リテーナー。
【請求項５】
前歯部内側面に直接ボンディングするワイヤーを併用し、かつ前記ワイヤーをボンディングした前歯部内側面のレジン床と補強ワイヤーを省略した請求項１記載の上顎用歯科用リテーナー。
【請求項６】
前歯部内側面に直接ボンディングするワイヤーを併用し、かつ前記ワイヤーをボンディングした前歯部内側面のレジン床と補強ワイヤーを省略した請求項２記載の下顎用歯科用リテーナー。
【請求項７】
補強ワイヤーにろう着され、前歯部両側端を挟持する一対のボールクラスプを付加した請求項１記載の上顎用歯科用リテーナー。
【請求項８】
補強ワイヤーにろう着され、前歯部両側端を挟持する一対のボールクラスプを付加した請求項２記載の下顎用歯科用リテーナー。
【請求項９】
Ｃクラスプをアダムスクラスプに置換した請求項７記載の上顎用歯科用リテーナー。
【請求項１０】
Ｃクラスプをアダムスクラスプに置換した請求項８記載の下顎用歯科用リテーナー。
【請求項１１】
ボールクラスプをフッククラスプに置換し、該各フッククラスプをつなぎ、前歯部表面と当接する合成樹脂製のチェーンを付加した請求項７記載の上顎用歯科用リテーナー。
【請求項１２】
ボールクラスプをフッククラスプに置換し、該各フッククラスプをつなぎ、前歯部表面と当接する合成樹脂製のチェーンを付加した請求項８記載の下顎用歯科用リテーナー。
【発明の詳細な説明】
【０００１】
【発明の属する技術分野】
本発明は、歯科において矯正した歯を矯正した状態に保定するために歯に嵌着する歯科用リテーナー、詳しくは口腔内における上顎または下顎を覆うことのない歯科用リテーナーに関する。
【０００２】
【従来の技術】
従来からの歯科用リテーナーは、歯の外側面に接触する唇側線のワイヤーと歯の内側面に適合する凹凸を備えた合成樹脂部とからなり、該ワイヤーと該合成樹脂部の凹凸との間の隙間部に歯を挿嵌することにより歯科用リテーナーを歯に嵌着するようにしたものであるが、このものにあっては、歯の内側に位置する合成樹脂部は適度の柔軟性を有することが必要である。従来の歯科用リテーナーは、このような柔軟性を有する合成樹脂部により歯に対する保定力（「保定力」とは歯を矯正した状態に保定する力をいうものとする。）を持たせるようにしているため、該合成樹脂部は必然的に大型化し、厚くかつ広幅に形成されている。特に、上顎用歯科用リテーナーにおける合成樹脂部は口腔内における上顎（硬口蓋）のほぼ全体を覆っている。従来の歯科用リテーナーは、このような大型の合成樹脂部を備えているため、次のような問題が生じている。
（１）違和感があり、装着感が悪い。
（２）発音障害が生じる。
（３）食事の際に物が食べ難く、飲食物の味覚が損なわれる。
（４）合成樹脂部は熱の伝導性が低いため、飲食物の温度を敏感に感ずることができない。
（５）合成樹脂部は臭いが付き易く汚れやすいため、不快である。
（６）合成樹脂部は大型の場合には割れやすい。
【０００３】
歯科用リテーナーは極めて長期間にわたって使用し続ける必要があるため、これらの問題は患者にとっては深刻であるとして、特開平８−１６８５００号公報は、該問題解決の提案をしている。
【０００４】
すなわち、図７〜９において、符号２１ａに示すものは上顎歯用リテーナー、符号２１ｂに示すものは下顎歯用リテーナーである。上顎歯用リテーナー２１ａは、上顎歯３ａ、３ａ・・・の外側面５ａ、５ａ・・・に接触するワイヤ部２３ａの両端２５ａ、２５ａを上顎歯３ａ、３ａ・・・の内側に位置する略Ｕ状の金属製支持部２７ａに連結し、該金属製支持部２７ａには上顎歯３ａ、３ａ・・・の内側面７ａ、７ａ・・・に適合する凹凸２９ａ、２９ａ・・・を備えた合成樹脂部３１ａを固定し、該ワイヤ部２３ａと該合成樹脂部３１ａの凹凸２９ａ、２９ａ・・・との間の隙間部３３ａに上顎歯３ａ、３ａ・・・を挿嵌するようにしたものである。一方、下顎歯用リテーナー２１ｂは、下顎歯３ｂ、３ｂ・・・の外側面５ｂ、５ｂ・・・に接触するワイヤ部２３ｂの両端２５ｂ、２５ｂを下顎歯３ｂ、３ｂ・・・の内側に位置する略Ｕ状の金属製支持部２７ｂに連結し、該金属製支持部２７ｂには下顎歯３ｂ、３ｂ・・・の内面側７ｂ、７ｂ・・・に適合する凹凸２９ｂ、２９ｂ・・・を備えた合成樹脂部３１ｂを固定し、該ワイヤ部２３ｂと該合成樹脂部３１ｂの凹凸２９ｂ、２９ｂ・・・との間の隙間部３３ｂに下顎歯３ｂ、３ｂ・・・を挿嵌するようにしたものである。
【０００５】
ワイヤ部２３ａ、２３ｂは一例としてコバルトクローム合金により形成する。金属製支持部２７ａ、２７ｂは例えばチタン合金、コバルトクローム合金、ＰＧＡ（白金合金）等により形成する。合成樹脂部３１ａ、３１ｂは例えばポリカーボネート、アクリル樹脂等の適度の柔軟性を備えた材料により形成する。
【０００６】
上顎歯用リテーナー２１ａにおける合成樹脂部３１ａには一端３５´を金属支持部２７ａに固定した金属製第一補強部材３５、３５を埋設している。
【０００７】
また、下顎歯用リテーナー２１ｂにおける合成樹脂部３１ｂには一端３７´を金属支持部２７ｂに固定した金属製第二補強部材３７、３７を貫通させ、該金属製第二補強部材３７、３７の他端３７´´を該合成樹脂部３１ｂより突出させている。
【０００８】
前記上顎歯用リテーナー２１ａにおける合成樹脂部３１ａには一端３９´を金属支持部２７ａに固定した金属製第三補強部材３９、３９を貫通させ、該金属製第三補強部材３９、３９における合成樹脂部３１ａから突出した他端３９´´をワイヤ部２３ａに固定している。
【０００９】
この歯科用リテーナーにおいては、合成樹脂部と略Ｕ状の金属支持部の両者を極めて薄くかつ狭幅のものとすることができ、したがって、これを上顎歯または下顎歯に取り付けたときでも、口腔内における上顎または下顎は該歯科用リテーナーにより覆われることがなく、下記の効果を発揮するとしている。
（１）違和感がなく、装着感が良い。
（２）発音障害が生じない。
（３）食事の際に物が食べ易く、飲食物の味覚が損なわれることはない。
（４）熱の伝導性が低い合成樹脂部は極めて薄くかつ狭幅であるため、飲食物の温度を敏感に感ずることができる。
（５） 臭いが付き易く、汚れやすい合成樹脂部は極めて薄くかつ狭幅であるため、清潔である。
（６）支持部は金属製であるため、丈夫である。
（７）合成樹脂部は小型化されるため、割れが生ずるおそれはない。
【００１０】
金属製第一補強部材３５は合成樹脂部を補強する。したがって、合成樹脂部は丈夫なものとなる。
【００１１】
金属製第二補強部材３７の前記他端を歯の上面に係止させることにより、歯科用リテーナーは歯に対しより確実に固定される。
【００１２】
金属製第三補強部材３９により、歯科用リテーナーを歯に対しより確実に固定することができる。
【００１３】
【発明が解決しようとする課題】
しかし、前記従来技術にあっては、以下列記の諸難点がみられる。
「合成樹脂部と略Ｕ状の金属製支持部の両者を極めて薄くかつ狭幅のものとすることができる。」としているが、その内容は図９に示すように、金属製の扁平鋳造体の一方の面の上半部に合成樹脂部の凹凸を備えた面の下半部を貼り合わせる態様に固定されてなるものである。この両部材の単なる貼り合わせのみをもっては合成樹脂部と金属製支持部の相互補強効果はあまり期待し得るものではなく、よって材料の使用量は低減できずコストが高くなる。
【００１４】
また、合成樹脂の減少度合いを大きくすることができないため小型化が不十分となり、装着時の違和感を小さくしたり、発音障害を防止する等の効果を十分に発揮するまでに至っていない。
【００１５】
金属製支持部材は直接口蓋や舌に触れるため、チタン合金、コバルトクローム合金、ＰＧＡ（白金合金）等の高価な金属を使用する必要があり、材料コストが必然的に高くなる。
【００１６】
繁盛に着脱されるものを、口蓋部を覆う合成樹脂部を省略して極めて薄くかつ幅狭の略Ｕ状の合成樹脂部と金属製支持部で代替しているが、極めて薄くかつ幅狭の略Ｕ状部材では繰り返し縦、横、上下に加わるねじれに対して永続的に耐えることは極めて困難であるという新たな問題が生じ、かかる脆弱性についての補完手当てがない。
【００１７】
さらに、前記従来技術を含め、従来の歯科用リテーナーは歯の外側面に接触するワイヤーが歯列表面に剥き出し状態であり、口許を緩めるとワイヤーが見えてしまうため、患者の中には見た目が悪くなるという理由で外出時等に装着しない場合があり、かかる患者においては矯正した歯が継続して保定されていないため、一旦矯正した歯が元の位置に戻りかけ、再度矯正し直したりする等して治療期間が長くなるという問題がある。
【００１８】
そこで、本発明は上記の問題に鑑みなされたもので、その目的とするところは、合成樹脂部と金属製支持部の双方が有効に補強し合える構造とすること、およびローコストな金属を用いることにより材料にかかるコストを低減し、合成樹脂部を十分に小型化することにより装着時の違和感を小さくしたり、発音障害を防止する等の効果を十分に発揮し、前記略Ｕ状部材に補強の枠を加えて立体架構化することにより繰り返しのねじれに耐える強度と弾力性を備え、さらには、患者が人目を気にして装着を控えることがない審美的に優れた歯科用リテーナーを提供することにある。
【００１９】
【課題を解決するための手段】
上記課題を解決するために、本発明の上顎用歯科用リテーナーは、歯の内側面に適合する凹凸と口蓋後縁を横切る一辺とから形成される外形辺縁から、４〜５ｍｍだけ残して大部をくりぬいた形をとる囲成枠状のレジン床と、歯の内側面に沿って該レジン床に埋め込まれる補強ワイヤーと、両端部を該補強ワイヤーの両端部にろう着され、口蓋後縁を横切る一辺に沿って前記レジン床に埋め込まれる架橋ワイヤーと、前記補強ワイヤーの両端部にろう着され、大臼歯に引っ掛けるＣクラスプとから構成し、前記補強ワイヤーと前記架橋ワイヤーと前記Ｃクラスプのろう着部分を前記レジン床の内部に埋め込み、かつ歯列側の前記レジン床の厚さを前歯部が歯顎部、臼歯部が歯冠豊隆部までの最小限とした上顎用歯科用リテーナー。
【００２０】
また、本発明の下顎用歯科用リテーナーは、歯の内側面に適合する凹凸から形成される外形辺縁から４〜５ｍｍだけ残して大部をくりぬいた形をとるＵ字状のレジン床と、歯の内側面に沿って該レジン床に埋め込まれる補強ワイヤーと、該補強ワイヤーの両端部にろう着され、大臼歯に引っ掛けるＣクラスプとから構成し、前記補強ワイヤーと前記Ｃクラスプのろう着部分を前記レジン床の内部に埋め込み、かつ歯列側の前記レジン床の厚さを前歯部が歯顎部、臼歯部が歯冠豊隆部までの最小限としたものである。
【００２１】
【作用】
本願発明の歯科用リテーナーは、レジン床にワイヤーを埋め込むことにより両者が互いに補強し合う効果を発揮するので、レジンおよびワイヤーの使用量が少なくなりコストを低減することが可能となる。また、ワイヤーがレジンに被覆されて直接口蓋や舌に触れないので、チタン合金、コバルトクローム合金、ＰＧＡ（白金合金）等の高価な金属から成るワイヤーを使用せず、安価な規格品を使用できる。さらに、合成樹脂使用量の減少に伴い、製作工程における合成樹脂の研磨作業が少なくなり、製作時間の短縮が可能となる。
【００２２】
レジン床が口蓋周辺に沿った薄く幅狭の帯状であり、かつ上記の通りレジンの減少度合いが大きいので、口腔内の上顎および下顎はほとんど覆われることがない。そのため装着時の違和感が小さく、長時間の使用が可能になり良好な使用効果が期待でき、装着後の発音障害、嚥下障害が生じ難く、飲食物の温度を感じることができる。さらに、前歯部レジン床辺縁を舌でさわることにより舌位の挙上の意識づけが行える。
【００２３】
上顎用歯科用リテーナーにおいては、口蓋後縁を横切るレジン床の存在により立体架構体となるため、リテーナーの沈下やねじれ、側方拡大した症例の後戻りを防ぎ、指示した適正な位置に装着ができ、繰り返しの着脱による外力にも適度な復元力を発揮し、修理・修正も容易である。さらに、該口蓋後縁を横切るレジン床のバックアップで生じる圧痕により患者の使用状況が認識できる。
【００２４】
歯列表面に剥き出し状態となるワイヤーを使用していないため、患者が口許を緩めてもワイヤーが見えることがなく、審美的に優れる。
【００２５】
【発明の実施の形態】
本発明の実施の形態を図１〜６に基づいて説明する。
【００２６】
図１に本発明の歯科用リテーナーの基本的な形態を示す。
上顎用歯科用リテーナー１０１は、歯の内側面に適合する凹凸と口蓋後縁を横切る一辺とから形成される外形辺縁から４〜５ｍｍだけ残して大部をくりぬいた形をとる、囲成枠状のレジン床１０２を有し、該レジン床１０２には、歯の内側面に沿って補強ワイヤー１０４が埋め込まれ、口蓋後縁を横切る一辺に沿って架橋ワイヤー１０５が埋め込まれ、該架橋ワイヤー１０５の両端部は前記補強ワイヤー１０４の両端部にろう着され、さらに、補強ワイヤー１０４の各端部にはＣクラスプ１０３が一つずつろう着されている。
【００２７】
下顎用歯科用リテーナー１３１は、歯の内側面に適合する凹凸から形成される外形辺縁から４〜５ｍｍだけ残して大部をくりぬいた形をとる、Ｕ字状のレジン床１３２を有し、該レジン床１３２には、歯の内側面に沿って補強ワイヤー１３４が埋め込まれ、該補強ワイヤー１３４の各端部にはＣクラスプ１３３が一つずつろう着されている。
【００２８】
補強ワイヤー１０４、１３４および架橋ワイヤー１０５は０．９ｍｍ線を主に使用し、患者の症状に応じて太径の１．０ｍｍ線を使用する場合もある。
【００２９】
上顎用歯科用リテーナー１０１および下顎用歯科用リテーナー１３１は、Ｃクラスプ１０３、１３３を第一大臼歯１２１、１５１に引っ掛けて歯に装着される。なお、Ｃクラスプ１０３、１３３を引っ掛ける歯は第一大臼歯１２１、１５１に限定されず、第二大臼歯１２２、１５２等の最後臼歯でも良い。
【００３０】
図示の通り、装着時に上顎用歯科用リテーナー１０１および下顎用歯科用リテーナー１３１の歯列表面に露出する部分は、口内奥の大臼歯に引っ掛けられたＣクラスプ１０３、１３３の一部だけであり、患者が口許を緩めても外部からはほとんど見えることはなく審美的に優れている。
【００３１】
なお、後述する実施例を含め本発明の歯科用リテーナーは、補強ワイヤー１０４、１３４等のワイヤー類とＣクラスプ１０３、１３３等のクラスプ類を相互にろう着して一体化しているが、各ろう着箇所はレジン床１０２、１３２内部に埋め込まれているので、舌先が各ろう着箇所に直に触れることはなく、舌先を傷つけたり、患者に不快な触感を与えることが防止できる。
【００３２】
【実施例】
本発明の歯科用リテーナーは、前記の基本的な形態に対して各種部材を併用・付加・置換することにより、患者の症例に合わせた様々な形の応用が可能である。以下に各実施例を説明する。
【００３３】
図２は、前記の基本的な形態に上顎および下顎の前歯部内側面に直接ボンディングするワイヤー１０６、１３５を併用した実施例である。かかる形態とすることにより前歯部を一体化し、前歯部を強固に固定することができる。また、ワイヤー１０６、１３５はレジン床１０２、１３２の内部に埋め込まれているので目立つことはなく、かつ歯列の内側面にボンディングされているので外部からは見え難く、基本的な形態の有する審美性を損ねることはない。
【００３４】
なお、図示の例ではワイヤー１０６、１３５をボンディングする範囲を左右の中切歯１２３、１５３および側切歯１２４、１５４としているが、この範囲に限定することはなく、患者の症状に応じて適宜に処置する。
【００３５】
図３は、前記の基本的な形態に上顎および下顎の前歯部内側面に直接ボンディングするワイヤー１０６、１３５を併用し、かつワイヤー１０６、１３５をボンディングした前歯部内側面のレジン床１０２、１３２と補強ワイヤー１０４、１３４を省略した実施例である。かかる形態とすることにより、ワイヤー１０６、１３５により前歯部の固定状態を維持しつつ、前歯部の歯顎部を覆う装着物が無くなるため、患者は食事を採り易くなる。
【００３６】
なお、図示の例ではワイヤー１０６、１３５をボンディングし、あるいはレジン床１０２、１３２と補強ワイヤー１０４、１３４を省略する範囲を各々左右の中切歯１２３、１５３、側切歯１２４、１５４、および犬歯１２５、１５５としているが、この範囲に限定することはなく、患者の症状に応じて適宜に処置する。
【００３７】
また、図示の下顎用歯科用リテーナー１３１においては、補強ワイヤー１３４の両後端部にろう着され、レジン床１３２の内側に沿って前歯部内側面まで延びるU字状の拡大ワイヤー１３７を併用している。患者の症状に応じて適宜のサイズの拡大ワイヤー１３７を併用することにより、側方への拡大・縮小量を調整することが容易となり、また、成長期の患者への対応も可能になる。
【００３８】
図４は、前記の基本的な形態に上顎および下顎の前歯部両側端を挟持する一対のボールクラスプ１０８、１３８を付加した実施例である。かかる形態とすることにより、歯列の発育を阻害することなく歯列を調節することが可能となり、混合歯列期にも適応することが可能となる。
【００３９】
なお、図示の例ではボールクラスプ１０８、１３８を犬歯１２５、１５５と第一小臼歯１２６、１５６の境を跨ぐ位置で補強ワイヤー１０４、１３４にろう着し、左右の犬歯１２５、１５５間の六本の歯を挟持しているが、この位置に限定することはなく、患者の症状に応じて適宜に処置する。
【００４０】
図５は、図４に示した実施例において、大臼歯に引っ掛ける部材をＣクラスプ１０３、１３３からアダムスクラスプ１０９、１３９に置換した実施例である。かかる形態とすることにより、未萌出の歯牙および歯列の発育を阻害することなく歯列を調節することが可能となり、混合歯列期にも適応することが可能となる。
【００４１】
なお、図示の例ではボールクラスプ１０８、１３８を側切歯１２４、１５４と犬歯１２５、１５５の境を跨ぐ位置で補強ワイヤー１０４、１３４にろう着し、左右の側切歯１２４、１５４間の四本の歯を挟持しているが、この位置に限定することはなく、患者の症状に応じて適宜に処置する。
【００４２】
図６は、図４に示した実施例において、ボールクラスプ１０８、１３８をフッククラスプ１１０、１４０に置換し、該各フッククラスプ１１０、１４０をつなぎ、前歯部表面と当接する合成樹脂製のチェーン１１１、１４１を付加した実施例である。かかる形態とすることにより、前歯部の外側への移動を拘束し、前歯部の突出とローテーションを防止することができる。またチェーン１１１、１４１は歯と同色の合成樹脂から成り、装着しても目立たず審美性を損なわない。
【００４３】
なお、図示の例ではフッククラスプ１１０、１４０を犬歯１２５、１５５と第一小臼歯１２６、１５６の境を跨ぐ位置で補強ワイヤー１０４、１３４にろう着し、左右の側切歯１２４、１５４間の四本の歯をチェーン１１１、１４１で拘束しているが、この位置に限定することはなく、患者の症状に応じて適宜に処置する。
【００４４】
【発明の効果】
本発明の歯科用リテーナーは上記の通り構成されるので、レジンおよびワイヤーの使用量の低減、およびローコストなワイヤーの採用による大幅なコストダウンが達成され、装着に伴う違和感が小さく、発音障害等の弊害を十分に防止でき、繰り返しの着脱によるねじれに耐える強度と弾力性が備わり、かつ審美的に優れ患者が人目を気にして装着を控えることがなく、もって歯の継続した保定が成されて矯正治療の効果が遅滞なく達成されることが期し得る。
【００４５】
さらに、本発明の歯科用リテーナーは基本的な形態に対して各種部材を併用・付加・置換することにより、患者の症例に合わせた様々な処置が可能となる。
【図面の簡単な説明】
【図１】  本発明の歯科用リテーナーの基本的な形態を示す説明図である。
【図２】  本発明の歯科用リテーナーの基本的な形態に、上顎および下顎の前歯部内側面に直接ボンディングするワイヤーを併用した実施例を示す説明図である。
【図３】  本発明の歯科用リテーナーの基本的な形態に、上顎および下顎の前歯部内側面に直接ボンディングするワイヤーを併用し、かつワイヤーをボンディングした前歯部のレジン床と補強ワイヤーを省略した実施例を示す説明図である。
【図４】  本発明の歯科用リテーナーの基本的な形態に、上顎および下顎の前歯部両側端を挟持する一対のボールクラスプを付加した実施例を示す説明図である。
【図５】  図４に示した実施例において、Ｃクラスプをアダムスクラスプに置換した実施例を示す説明図である。
【図６】  図４に示した実施例において、ボールクラスプをフッククラスプに置換し、各フッククラスプをつなぎ、前歯部と当接する合成樹脂製のチェーンを付加した実施例を示す説明図である。
【図７】  従来の歯科用リテーナーの説明図である。
【図８】  従来の歯科用リテーナーの使用状態を示す説明図である。
【図９】  図８中のＶ−Ｖ線の断面図である。
【符号の説明】
３ａ      ；  上顎歯
３ｂ      ；  下顎歯
５ａ      ；  上顎歯の外側面
５ｂ      ；  下顎歯の外側面
７ａ      ；  上顎歯の内側面
７ｂ      ；  下顎歯の内側面
２１ａ    ；  上顎歯用リテーナー
２１ｂ    ；  下顎歯用リテーナー
２３ａ、ｂ；  ワイヤ部
２５ａ、ｂ；  ワイヤ部の両端
２７ａ、ｂ；  金属支持部
２９ａ、ｂ；  凹凸
３１ａ、ｂ；  合成樹脂部
３３ａ、ｂ；  隙間部
３５      ；  金属製第一補強部材
３５´    ；  一端
３７      ；  金属製第二補強部材
３７´    ；  一端
３７´´  ；  他端
３９      ；  金属製第三補強部材
３９´    ；  一端
３９´´  ；  他端
１０１    ；  上顎用歯科用リテーナー
１０２    ；  レジン床
１０３    ；  Ｃクラスプ
１０４    ；  補強ワイヤー
１０５    ；  架橋ワイヤー
１０６    ；  ワイヤー
１０７    ；  ボンド
１０８    ；  ボールクラスプ
１０９    ；  アダムスクラスプ
１１０    ；  フッククラスプ
１１１    ；  チェーン
１２１    ；  第一大臼歯
１２２    ；  第二大臼歯
１２３    ；  中切歯
１２４    ；  側切歯
１２５    ；  犬歯
１２６    ；  第一小臼歯
１３１    ；  下顎用歯科用リテーナー
１３２    ；  レジン床
１３３    ；  Ｃクラスプ
１３４    ；  補強ワイヤー
１３５    ；  ワイヤー
１３６    ；  ボンド
１３７    ；  拡大ワイヤー
１３８    ；  ボールクラスプ
１３９    ；  アダムスクラスプ
１４０    ；  フッククラスプ
１４１    ；  チェーン
１５１    ；  第一大臼歯
１５２    ；  第二大臼歯
１５３    ；  中切歯
１５４    ；  側切歯
１５５    ；  犬歯
１５６    ；  第一小臼歯
【図１】
0003677529.tif 000002
【図２】
0003677529.tif 000003
【図３】
0003677529.tif 000004
【図４】
0003677529.tif 000005
【図５】
0003677529.tif 000006
【図６】
0003677529.tif 000007
【図７】
0003677529.tif 000008
【図８】
0003677529.tif 000009
【図９】
0003677529.tif 000010